(57)【要約】【課題】保護材を背部の下部縁の角部に非常に取り付け易いものとすると共に、取り付けた保護材は外れ難いものとし、さらに外れた場合にも再び取り付け易く、また新しいものに取り替えるのも容易に行なうことができるランドセルを提供する。【解決手段】背部１の両側辺部と、左右襠部２の後辺部のそれぞれを重ね合わせて縫着糸Ｔで縫着すると共に、背部１の下辺部と底襠部３の後辺部を重ね合わせて縫着糸Ｔで縫着し、背部１の下部縁の角部ｅを、衝撃吸収体４からなる保護材Ｍに形成した嵌合溝５に嵌合させ、この保護材Ｍを前記背部１の下辺縁の角部ｅにリベットＲで止着したものとしている。【選択図】図１
0003151036.tif 000002
【実用新案登録請求の範囲】
【請求項１】
背部（１）の両側辺部と、左右襠部（２）の後辺部のそれぞれを重ね合わせて縫着糸（Ｔ）で縫着すると共に、背部（１）の下辺部と底襠部（３）の後辺部を重ね合わせて縫着糸（Ｔ）で縫着し、背部（１）の下部縁の角部（ｅ）を、衝撃吸収体（４）からなる保護材（Ｍ）に形成した嵌合溝（５）に嵌合させ、この保護材（Ｍ）を前記背部（１）の下部縁の角部（ｅ）にリベット（Ｒ）で止着したことを特徴とするランドセル。
【請求項２】
背部（１）の両側辺部と、左右襠部（２）の後辺部のそれぞれを重ね合わせて縫着糸（Ｔ）で縫着すると共に、背部（１）の下辺部と底襠部（３）の後辺部を重ね合わせて縫着糸（Ｔ）で縫着し、背部（１）の下部縁の角部（ｅ）を、衝撃吸収体（４）からなる保護材（Ｍ）に形成した嵌合溝（５）に嵌合させ、この保護材（Ｍ）を前記背部（１）の下部縁の角部（ｅ）に、前記縫着糸（Ｔ）と交わらないようにリベット（Ｒ）で止着したことを特徴とするランドセル。
【請求項３】
前記背部（１）の両側辺部と、左右襠部（２）の後辺部のそれぞれを重ね合わせて縫着糸（Ｔ）で縫着すると共に、背部（１）の下辺部と底襠部（３）の後辺部を重ね合わせて縫着糸（Ｔ）で縫着するときに、縁生地（６）を介在させたものとしたことを特徴とする請求項１または２記載のランドセル。
【請求項４】
前記衝撃吸収体（４）の平面形状を略Ｌ字形にし、前記嵌合溝（５）の断面形状を略Ｕ字形にし、ランドセルの背部（１）の下部縁の角部（ｅ）のみに嵌合するようにしたことを特徴とする請求項１または２記載のランドセル。
【請求項５】
前記衝撃吸収体（４）の平面形状を略コ字形にし、前記嵌合溝（５）の断面形状を略Ｕ字形にし、ランドセルの背部（１）の下辺全域と下部縁の角部（ｅ）に嵌合するようにしたことを特徴とする請求項１または２記載のランドセル。
【請求項６】
前記衝撃吸収体（４）を弾性ゴム成形体からなるものとしたことを特徴とする請求項１または２記載のランドセル。
【請求項７】
前記衝撃吸収体（４）を高弾性樹脂成形体からなるものとしたことを特徴とする請求項１または２記載のランドセル。
【考案の詳細な説明】
【技術分野】
【０００１】
この考案は、背部の下部縁の角部に保護材を取り付けたランドセルに関するものである。
【背景技術】
【０００２】
従来、この種のランドセルは、図７、８に示したように、背部１１の両側辺部と、左右襠部１２の後辺部のそれぞれを重ね合わせて縫着すると共に、背部１１の下辺部と底襠部１３の後辺部を重ね合わせて縫着するときに、背部１１の下部縁の角部ｅを、衝撃吸収体１４からなる保護材Ｍに形成した嵌合溝１５に嵌合させ、これらを一纏めにして同時に縫着したものとしている（特許文献１）。
【０００３】
図７に示したものは、前記衝撃吸収体１４の平面形状を略Ｌ字形にし、嵌合溝１５の断面形状を略Ｕ字形にして、ランドセルの背部１１の下部縁の角部ｅのみに嵌合して縫着したものとしている。
【０００４】
図８に示したものは、前記衝撃吸収体１４の平面形状を略コ字形にし、嵌合溝１５の断面形状を略Ｕ字形にして、ランドセルの背部１１の下辺全域と下部縁の角部ｅに嵌合して縫着したものとしている。
【先行技術文献】
【特許文献】
【０００５】
【特許文献１】実用新案登録第３１３７７６４号公報
【考案の概要】
【考案が解決しようとする課題】
【０００６】
しかしながら、従来のランドセルでは、前記したように背部１１の両側辺部と、左右襠部１２の後辺部および保護材Ｍを一纏めにし、さらに背部１１の下辺部、底襠部１３の後辺部および保護材Ｍを一纏めにし、これらを同時に縫着したものとしているので、これらの縫着部分は非常に分厚くなり、普通の工業ミシンでは針が通り難かったり、針が折れ易かったりして、縫着作業に手間取ることが多く、縫着作業の効率が非常に悪くなるという問題点を有していた。
【０００７】
また、従来のランドセルでは、前記角部ｅに衝撃力を受けた場合に、その衝撃力は保護材Ｍによって吸収されるが、その保護材Ｍの縫着部分は、衝撃力が作用したり、物に当たったり、擦れたりするので、長年の使用においては、その縫着している糸が切れてしまい、保護材Ｍが角部ｅから外れてしまうことがあるという問題点を有していた。
【０００８】
さらに、従来のランドセルでは、前記保護材Ｍが角部ｅから外れてしまうと、この保護材Ｍを角部ｅに縫着しなおしたり、新しいものに取り替える場合には、背部１１や襠部１３には元の縫着糸が残っており、この縫着糸に重ね縫いをするのに、さらに工業ミシンの針が通り難くなったり、針が折れ易くなったりして、縫着作業が非常に困難になるという問題点を有していた。
【０００９】
そこで、この考案は、上記従来の問題点を解決するものであり、保護材を背部の下部縁の角部に非常に取り付け易いものとすると共に、取り付けた保護材は外れ難いものとし、さらに外れた場合にも再び取り付け易く、また新しいものに取り替えるのも容易に行なうことができるランドセルを提供することを目的としてなされたものである。
【課題を解決するための手段】
【００１０】
この考案のランドセルは、背部１の両側辺部と、左右襠部２の後辺部のそれぞれを重ね合わせて縫着糸Ｔで縫着すると共に、背部１の下辺部と底襠部３の後辺部を重ね合わせて縫着糸Ｔで縫着し、背部１の下部縁の角部ｅを、衝撃吸収体４からなる保護材Ｍに形成した嵌合溝５に嵌合させ、この保護材Ｍを前記背部１の下辺縁の角部ｅにリベットＲで止着したものとしている。
【００１１】
そして、この考案のランドセルは、  この考案のランドセルは、背部１の両側辺部と、左右襠部２の後辺部のそれぞれを重ね合わせて縫着糸Ｔで縫着すると共に、背部１の下辺部と底襠部３の後辺部を重ね合わせて縫着糸Ｔで縫着し、背部１の下部縁の角部ｅを、衝撃吸収体４からなる保護材Ｍに形成した嵌合溝５に嵌合させ、この保護材Ｍを前記背部１の下辺縁の角部ｅに、前記縫着糸Ｔと交わらないようにしてリベットＲで止着したものとしている。
【００１２】
また、この考案のランドセルは、前記背部１の両側辺部と、左右襠部２の後辺部のそれぞれを重ね合わせて縫着糸Ｔで縫着すると共に、背部１の下辺部と底襠部３の後辺部を重ね合わせて縫着糸Ｔで縫着するときに、縁生地６を介在させたものとしている。
【００１３】
さらに、この考案のランドセルは、前記衝撃吸収体４の平面形状を略Ｌ字形にし、前記嵌合溝５の断面形状を略Ｕ字形にし、ランドセルの背部１の下部縁の角部ｅのみに嵌合するようにしている
また、この考案のランドセルは、前記衝撃吸収体４の平面形状を略コ字形にし、前記嵌合溝５の断面形状を略Ｕ字形にし、ランドセルの背部１の下辺全域と下部縁の角部ｅに嵌合するようにしている。
【００１４】
さらに、この考案のランドセルは、前記衝撃吸収体４を弾性ゴム成形体や高弾性樹脂成形体からなるものとしている。
【考案の効果】
【００１５】
この考案のランドセルは、以上に述べたように構成されているので、保護材を背部の下部縁の角部に非常に取り付け易いものとなり、この取り付け作業に手間取ることなく、この取り付け作業を効率良く行なえるものとなった。
【００１６】
さらに、この考案のランドセルは、取り付けた保護材は外れ難いものとなり、さらに外れた場合にも再び取り付け易く、また新しいものに取り替えるのも容易に行なうことができるものとなり、この取り付け作業や取り替え作業に手間取ることなく、これらの作業を効率良く行なえるものとなった。
【図面の簡単な説明】
【００１７】
【図１】この考案のランドセルの一実施形態を示しており、保護材を背部の下部縁の角部に取り付ける前の状態の斜視図である。
【図２】図１中のＡ−Ａ線によるこの考案のランドセルの取り付ける保持材の断面図である。
【図３】図１に示すこの考案のランドセルの背部の下部縁の角部に保護材を取り付けた状態を示す斜視図である。
【図４】この考案のランドセルの他の実施形態を示しており、保護材を背部の下部縁の角部に取り付ける前の状態の斜視図である。
【図５】図４中のＢ−Ｂ線によるこの考案のランドセルの取り付ける保持材の断面図である。
【図６】図４に示すこの考案のランドセルの背部の下部縁の角部に保護材を取り付けた状態を示す斜視図である。
【図７】背部の下部縁の角部に保護材を取り付けた従来のランドセルの一例を示す斜視図である。
【図８】背部の下部縁の角部に保護材を取り付けた従来のランドセルの他の例を示す斜視図である。
【考案を実施するための形態】
【００１８】
以下、この考案のランドセルを実施するための形態を、図面に基づいて詳細に説明する。
【００１９】
この考案のランドセルは、背部１の両側辺部と、左右襠部２の後辺部のそれぞれを重ね合わせて縫着糸Ｔで縫着すると共に、背部１の下辺部と底襠部３の後辺部を重ね合わせて縫着糸Ｔで縫着し、背部１の下部縁の角部ｅを、衝撃吸収体４からなる保護材Ｍに形成した嵌合溝５に嵌合させ、この保護材Ｍを前記背部１の下辺縁の角部ｅにリベットＲで止着したものとしている。この保護材Ｍを前記背部１の下辺縁の角部ｅにリベットＲで止着する場合、前記縫着糸Ｔと交わらないようにするのが好ましい。このようにすると、前記リベットＲによって縫着糸Ｔが切断されることがないので、背部１の両側辺部と左右襠部２の後辺部、および背部１の下辺部と底襠部３の後辺部の縫着糸Ｔによる縫着が弱められることがないものとなる。さらに、前記角部ｅにおいては、リベットＲの頭部が露出しているだけで、縫着糸Ｔは露出していないので、この縫着糸Ｔが物に当たったり、擦れたりして、切れてしまうようなことはない。なお、前記角部ｅにおいて、リベットＲの頭部が露出していても、このリベットＲの頭部は、縫着糸Ｔに比べれば丈夫であるため、物に当たったり、擦れたりしても、損傷しにくいものとなっている。
【００２０】
なお、図示したものは、背部１の両側辺部と、左右襠部２の後辺部のそれぞれを重ね合わせて縫着糸Ｔで縫着すると共に、背部１の下辺部と底襠部３の後辺部を重ね合わせて縫着糸Ｔで縫着するときに、縁生地６を介在させたものとして体裁良くしているが、場合によってはこの縁生地６は介在させなくてもよい。
【００２１】
前記衝撃吸収体４は、平面形状を略Ｌ字形にし、嵌合溝５の断面形状を略Ｕ字形にしている。このようにした衝撃吸収体４は、図３に示したように、ランドセルの背部１の下部縁の角部ｅのみに嵌合して、リベットＲで止着したものとしている。なお、前記衝撃吸収体４には、図示したように、リベットＲの位置決めをし易いように、あらかじめ通孔ｈを設けたものとしているが、この通孔ｈは設けていないものとしてもよい。また、前記背部１の下部縁の角部ｅにも、図示していないが、リベットＲの通孔ｈを設けたものとすることができる。
【００２２】
さらに、前記衝撃吸収体４は、平面形状を略コ字形にし、嵌合溝５の断面形状を略Ｕ字形にすることもできる。このようにした衝撃吸収体４は、図６に示したように、ランドセルの背部１の下辺全域と下部縁の角部ｅに嵌合して、リベットＲで止着したものとしている。なお、前記衝撃吸収体４には、図示したように、リベットＲの位置決めをし易いように、あらかじめ通孔ｈを設けたものとしているが、この通孔ｈは設けていないものとしてもよい。また、前記背部１の下辺全域と下部縁の角部ｅにも、図示していないが、リベットＲの通孔ｈを設けたものとすることができる。
【００２３】
前記衝撃吸収体４は、弾性ゴム成形体や高弾性樹脂成形体からなるものとしており、ランドセルを落としたり、ランドセルに物が当たったりした場合に、角部ｅが変形しないようにすると共に、角部ｅが衝撃を吸収することにより、ランドセルの収納物を傷つけたりしないようにしている。なお、前記衝撃吸収体４は、弾性ゴム成形体や高弾性樹脂成形体からなるものとしているので、一体成形することによって、任意の形状、大きさの嵌合溝５が形成し易いものとなる。
【００２４】
このように構成されたこの考案のランドセルは、背部１の下部縁の角部ｅを、衝撃吸収体４からなる保護材Ｍに形成した嵌合溝５に嵌合したときに、保護材Ｍがこの状態で位置決めされ移動しないので、前記したようにリベットＲで止着する場合にその作業が簡単なものとなる。
【００２５】
したがって、この考案のランドセルは、保護材Ｍを背部１の下部縁の角部ｅに非常に取り付け易いものとなり、この取り付け作業に手間取ることなく、この取り付け作業を効率良く行なえる。
【００２６】
さらに、この考案のランドセルは、取り付けた保護材Ｍは外れ難いものとなり、さらに外れた場合にも再び取り付け易く、また新しいものに取り替えるのも容易に行なうことができるものとなり、この取り付け作業や取り替え作業に手間取ることなく、これらの作業を効率良く行なえる。
【符号の説明】
【００２７】
１  背部
２  左右襠部
３  底マチ部
４  衝撃吸収体
５  嵌合溝
６  縁生地
ｅ  角部
Ｍ  保護材
Ｒ  リベット
Ｔ  縫着糸
【図１】
0003151036.tif 000003
【図２】
0003151036.tif 000004
【図３】
0003151036.tif 000005
【図４】
0003151036.tif 000006
【図５】
0003151036.tif 000007
【図６】
0003151036.tif 000008
【図７】
0003151036.tif 000009
【図８】
0003151036.tif 000010